(57)【特許請求の範囲】
【請求項１】
外部の空気を吸引する吸気口と、該吸気口から導入された前記空気を装着者の鼻及び口を覆うマスクの前記装着者の顔面側と反対側である前面に排気する排気口へ導く流路とが形成された送気ファン筐体と、前記送気ファン筐体に一体に形成された送気ファン筐体基部を備え、前記送気ファン筐体は、外部の空気を吸引・排気するファンユニットを有し、前記送気ファン筐体基部は帽子の鍔部の上面に載置され、前記送気ファン筐体基部には、前記帽子の鍔部を前記送気ファン筐体基部とで挟持するクリップを備え、
前記排気口には、前記外部の空気を前記マスク前面の方向に調整する排気口調整部を備え、
前記送気ファン筐体に形成された前記外部の空気を吸引・排気する前記ファンユニットが、前記帽子の前記鍔部に垂直かつ円筒状に配置された羽根を有し、該羽根の遠心力により発生した旋回流を、前記流路により前記排気口に送気することを特徴とするマスク周辺冷却装置。
【請求項２】
外部の空気を吸引する吸気口と、該吸気口から導入された前記空気を装着者の鼻及び口を覆うマスクの前記装着者の顔面側と反対側である前面に排気する排気口へ導く流路とが形成された送気ファン筐体と、前記送気ファン筐体に一体に形成された送気ファン筐体基部を備え、前記送気ファン筐体は、外部の空気を吸引・排気するファンユニットを有し、前記送気ファン筐体基部は帽子の鍔部の上面に載置され、前記送気ファン筐体基部には、前記帽子の鍔部を前記送気ファン筐体基部とで挟持するクリップを備え、
前記排気口には、前記外部の空気を前記マスク前面の方向に調整する排気口調整部を備え、
前記送気ファン筐体に形成された前記外部の空気を吸引・排気する前記ファンユニットが、前記帽子の前記鍔部に水平かつ円筒状に配置された羽根を有し、水平方向に長い円筒状の該羽根の遠心力により発生した旋回流を、送気の幅を広く取り前記流路により前記排気口に送気することを特徴とするマスク周辺冷却装置。
【請求項３】
前記クリップの下面に、該クリップの前後方向に移動自在でかつ前記装着者の目を保護する形状の透明体を着脱自在に構成した、透明体保持部を備えたことを特徴とする請求項１又は請求項２記載のマスク周辺冷却装置。
【請求項４】
前記吸気口、前記流路、前記排気口又は前記排気口調整部に、前記外部の空気に含まれる有害物質を除去するフィルター層を、着脱自在に備えたことを特徴とする請求項１乃至３のいずれか１項記載のマスク周辺冷却装置。
【請求項５】
前記吸気口、前記流路、前記排気口又は前記排気口調整部に、前記外部の空気を冷却する冷却部を、着脱自在に備えたことを特徴とする請求項１乃至４のいずれか１項記載のマスク周辺冷却装置。
【発明の詳細な説明】
【技術分野】
【０００１】
本発明は、装着者の鼻及び口を覆うマスク（以下、マスクという）を装着した際、外気温等の上昇に伴い、マスク装着者が熱中症を発症するのを防ぐことを目的とし、マスク装着者のマスク周辺に送気することにより冷却する、装着者が熱中症を発症することを防止する、マスク周辺冷却装置に関するものである。
【背景技術】
【０００２】
熱中症対策としては、従来扇風機等の送気ファンを、涼しくする必要な体の部位に向けて送気する構成が、採用されている。
【０００３】
例えば、特許文献１に記載のファン付帽子は、日除け作用に加えて涼しさを与えることを目的として、帽子本体１３のつば部１２にファン１７を固定して、帽子本体１３の開口部１４を介し頭に向って送風する構造である。
特許文献２に記載のクリップタイプ扇風機は、携帯し易くクリップを用いて使用者の衣服に固定させて使用し、必要に応じて風向きを選択的に制御することができ、使用者の衣服の内側にも効率的に風を送風できる、クリップタイプ扇風機である。
特許文献３に記載のヘルメット＆帽子扇風機は、クリップ等の突起部分が無く、そのままでヘルメットや帽子のどちらにもピッタリと快適に装着することができ、ヘルメットや帽子のバンドに挟み込む位置を変えて、後頭部への送気気化冷却位置を上下左右に変えることが出来る、ヘルメット＆帽子扇風機である。
特許文献４に記載のネックバンド型扇風機は、装着時の体にかかる負担を減らし、長時間使用可能とし、本体８から首筋や顔に向け開かれた空気吹き出し口２から、直接空気を吹き出す構造である。
【先行技術文献】
【特許文献】
【０００４】
【特許文献１】特開平６−１７３１０９号公報
【特許文献２】特表２０１８−５１３９３２号公報
【特許文献３】特開２０１３−２５３５９０号公報
【特許文献４】特開２０１９−１０５２６６号公報
【発明の概要】
【発明が解決しようとする課題】
【０００５】
特許文献１に記載のファン付帽子は、帽子本体１３のつば部１２にファン１７を固定して、帽子本体１３の開口部１４を介し頭に向って送風する構造のため、マスク装着者のマスク周辺に送気することができない。
特許文献２に記載のクリップタイプ扇風機は、使用者の衣服の内側にも効率的に風を送風することを目的としており、マスク装着者のマスク周辺に送気することを目的とするものではない。
特許文献３に記載のヘルメット＆帽子扇風機は、ヘルメットや帽子のバンドに挟み込む位置を変えて、後頭部への送気気化冷却位置を上下左右に変えることを目的とするものであり、マスク装着者のマスク周辺に送気することを目的とするものではない。
特許文献４に記載のネックバンド型扇風機は、首筋や顔に向け開かれた空気吹き出し口２から、空気を首筋や顔に向け吹き出す構造であり、マスク装着者のマスク周辺に送気することを目的とするものではない。
以上のように、従来の扇風機又はファンは、体の一部特に首筋や顔の後頭部等を、冷却又は送風することを目的としており、マスク装着者のマスク装着によるマスク周辺に、冷却又は送風するこができず、マスク装着者のマスク装着によるマスク周辺の体温上昇を押さえる効果はなく、マスク装着による熱中症を発症するのを防ぐことを目的とするものではない。
【０００６】
このような観点から、本発明は、マスクを装着した際、外気温等の上昇に伴い、マスク装着者が熱中症を発症するのを防ぐことを目的とし、マスク装着者がマスク装着状態において、マスク周辺に送気することを可能にした、マスク周辺冷却装置を提案することを課題とする。
【課題を解決するための手段】
【０００７】
前記課題を解決するために、本発明（請求項１）は、「外部の空気を吸引する吸気口と、該吸気口から導入された前記空気を装着者の鼻及び口を覆うマスクの前記装着者の顔面側と反対側である前面に排気する排気口へ導く流路とが形成された送気ファン筐体と、前記送気ファン筐体に一体に形成された送気ファン筐体基部を備え、前記送気ファン筐体は、外部の空気を吸引・排気するファンユニットを有し、前記送気ファン筐体基部は帽子の鍔部の上面に載置され、前記送気ファン筐体基部には、前記帽子の鍔部を前記送気ファン筐体基部とで挟持するクリップを備え、
前記排気口には、前記外部の空気を前記マスク前面の方向に調整する排気口調整部を備え、
前記送気ファン筐体に形成された前記外部の空気を吸引・排気する前記ファンユニットが、前記帽子の前記鍔部に垂直かつ円筒状に配置された羽根を有し、該羽根の遠心力により発生した旋回流を、前記流路により前記排気口に送気すること」を特徴としている。
【０００８】
かかる構造によれば、前記ファンユニットにより前記外部の空気を吸引・排気することにより、前記外部の空気を前記マスク周辺に送気することが可能なため、前記マスクの周辺を冷却することが可能となり、前記マスクを装着した際、外気温等の上昇に伴い、マスク装着者が熱中症を発症するのを防ぐことができる。
また、前記外部の空気を前記マスク周辺に送気することにより、眼鏡のくもりも防止することが、可能となる。さらに、送気ファン筐体基部底面を、クリップにより帽子の鍔部表面上に、強固にかつ安定的に固定できる。
さらに、かかる構造によれば、前記ファンユニットにより、前記帽子の前記鍔部の上方の前記外部の空気を、前記羽根の遠心力により発生した方向性及び圧力も上昇した旋回流として流路に送気できる。
【０００９】
本発明（請求項２）は、「外部の空気を吸引する吸気口と、該吸気口から導入された前記空気を装着者の鼻及び口を覆うマスクの前記装着者の顔面側と反対側である前面に排気する排気口へ導く流路とが形成された送気ファン筐体と、前記送気ファン筐体に一体に形成された送気ファン筐体基部を備え、前記送気ファン筐体は、外部の空気を吸引・排気するファンユニットを有し、前記送気ファン筐体基部は帽子の鍔部の上面に載置され、前記送気ファン筐体基部には、前記帽子の鍔部を前記送気ファン筐体基部とで挟持するクリップを備え、
前記排気口には、前記外部の空気を前記マスク前面の方向に調整する排気口調整部を備え、
前記送気ファン筐体に形成された前記外部の空気を吸引・排気する前記ファンユニットが、前記帽子の前記鍔部に水平かつ円筒状に配置された羽根を有し、水平方向に長い円筒状の該羽根の遠心力により発生した旋回流を、送気の幅を広く取り前記流路により前記排気口に送気すること」を特徴としている。
【００１０】
かかる構造によれば、前記ファンユニットにより前記外部の空気を吸引・排気することにより、前記外部の空気を前記マスク周辺に送気することが可能なため、前記マスクの周辺を冷却することが可能となり、前記マスクを装着した際、外気温等の上昇に伴い、マスク装着者が熱中症を発症するのを防ぐことができる。
また、前記外部の空気を前記マスク周辺に送気することにより、眼鏡のくもりも防止することが、可能となる。さらに、送気ファン筐体基部底面を、クリップにより帽子の鍔部表面上に、強固にかつ安定的に固定できる。
さらに、かかる構造によれば、前記ファンユニットにより、前記帽子の前記鍔部に平行な前記外部の空気を、水平方向に長い円筒状の前記羽根の遠心力により発生した旋回流を、送気の幅を広く取り流路に送気できる。
【００１１】
本発明（請求項３）は、「前記クリップの下面に、該クリップの前後方向に移動自在でかつ装着者の目を保護する形状の透明体（以下、透明体という）を着脱自在に構成した、透明体保持部を備えたこと」を特徴としている。
【００１２】
かかる構造によれば、前記ファンユニットにより前記外部の空気を吸引・排気することにより、前記外部の空気を前記マスク周辺に送気した際、目に外気が直接噴射されることによるドライアイを防止することができる。さらに、透明体保持部は、前記クリップの前後方向に移動自在なため、前記目との距離を調整でき、前記透明体を着脱自在に構成しているため、必要に応じての前記透明体の装着が可能となる。
【００１３】
本発明（請求項４）は、「吸気口、流路、排気口又は排気口調整部に、前記外部の空気に含まれる有害物質を除去可能なフィルター層を、着脱自在に設置されたこと」を特徴としている。
【００１４】
かかる構造によれば、前記ファンユニットにより前記外部の空気を吸引・排気する際、前記外部の空気に含まれる有害物質を、フィルター層により除去することができる。そして、前記有害物質としては、公知の感染症ウイルス、細菌、花粉、ＰＭ２１を含み、前記有害物質を除去可能な公知のフィルター層を使用することができる。さらに、必要に応じて上記以外の前記有害物質を除去する必要がある場合には、前記除去必要な有害物資に対する公知のフィルター層を使用することができる。
【００１５】
本発明（請求項５）は、「前記吸気口、前記流路、前記排気口又は前記排気口調整部に、前記外部の空気を冷却する冷却部を、着脱自在に備えたこと」を特徴としている。
【００１６】
かかる構造によれば、前記ファンユニットにより前記外部の空気を吸引・排気する際、前記外部の空気の温度を、前記冷却部により冷却することができる。そして、前記冷却部としては、公知の冷却部を使用することができる。
【発明の効果】
【００１７】
本発明の前記マスク周辺冷却装置は、前記帽子の前記鍔部の上部の前記外部の空気を、的確にマスク周辺に送気することができ、マスク装着者が熱中症を発症するのを防ぐことができ、また眼鏡がくもるのも防止できと共に、送気ファン筐体基部を、クリップにより帽子の鍔部に、強固にかつ安定的に固定できる。
そして、透明体を着脱自在に構成したことにより、目に外気が直接噴射されることによるドライアイを防止することができる。また、有害物質を除去可能なフィルター層を、流路の必要な箇所に着脱自在に設置することにより、前記外部の空気に含まれる有害物質を除去することができ、前記冷却部を、流路の必要な箇所に着脱自在に設置することにより、前記外部の空気を冷却することができる。
また、ファンユニットを、帽子の鍔部に垂直かつ円筒状に配置することにより、前記外部の空気を方向性及び圧力も上昇した旋回流として流路に送気できる。
さらに、前記ファンユニットを、前記帽子の前記鍔部に水平かつ円筒状に配置することにより、前記外部の空気を送気の幅を広く取り前記流路に送風できる。
【図面の簡単な説明】
【００１８】
【図１】実施例１におけるマスク周辺冷却装置を、マスク装着者が装着した状態を示す図である。
【図２】実施例２におけるマスク周辺冷却装置を、マスク装着者が装着した状態を示す図である。
【図３】実施例１におけるマスク周辺冷却装置で、（ａ）は立面図、（ｂ）は平面図、及び（ｃ）は側面図である。
【図４】実施例２におけるマスク周辺冷却装置で、（ａ）は立面図、（ｂ）は平面図、及び（ｃ）は側面図である。
【発明を実施するための形態】
【００１９】
本発明において、マスク周辺冷却装置とは、マスク装着者の装着した帽子７の鍔部７１に載置したファンユニット２により、空気を前記マスク装着者のマスク周辺に送気することにより冷却する装置である。そして、前記帽子７は、前記鍔部７１が全周又は一部にあるものを含む。また、前記帽子７は頭部を保護するヘルメット及び頭部を外部有害物から防御するものも包括する、いわゆる頭部に被せるものを含む。
【００２０】
本発明のマスク周辺冷却装置は、充電バッテリー（図示せず）を備え、一例としてＵＳＢ方式の充電接続部２３から充電することにより、スイッチ（図示せず）によりモーター２２を回転させ、ファンユニット２の回転により空気を送気する、公知の小型の電動回転送気機構を採用する。
【００２１】
本発明のマスク周辺冷却装置は、加工が容易で軽量かつ安価な、一例として公知の合成樹脂材料により形成することができ、組み立て分解が容易な構造を採用する。
また、送気ファン筐体基部１２を帽子７の鍔部７１に強固にかつ安定的に固定するクリップ５は、マスク周辺冷却装置の荷重に対応した強力な挟持力を備えた、公知の構造を採用する。
さらに必要に応じて付加的に、前記送気ファン筐体基部１２と前記帽子７の前記鍔部７１とを、強固に連結する例えばベルト又は両面ファスナ等の、公知の連結固定機構を採用する。
【実施例１】
【００２２】
図１は実施例１におけるマスク周辺冷却装置を、マスク装着者が装着した状態を示す図である。
前記マスク装着者は帽子７を被り、マスク６を装着し、目９には必要に応じて眼鏡８も装着している。前記帽子７の鍔部７１の上表面には、送気ファン筐体１１Ａに一体に形成された送気ファン筐体基部１２Ａを載置し、前記帽子７の前記鍔部７１を前記送気ファン筐体基部１２Ａとで挟持するクリップ５を備えている。
そして、前記送気ファン筐体１１Ａは、外部の空気を吸引・排気するファンユニット２Ａを有し、前記ファンユニット２Ａは、外部の空気を吸引する吸気口３１Ａから外部の空気を吸引し、流路３Ａを通過して前記空気を前記マスク６の装着者の顔面側と反対側である前面に排気する排気口３２Ａへ導き、排気口調整部３３Ａにより、前記外部の空気を前記マスク６の方向に調整して、前記空気を前記マスク装着者のマスク周辺に送気３５Ａすることにより前記マスク６を冷却し、マスク装着者が熱中症を発症することを防止するものである。
【００２３】
図３は、実施例１におけるマスク周辺冷却装置で、（ａ）は立面図、（ｂ）は平面図、及び（ｃ）は側面図である。
図３の（ｃ）の側面図には、クリップ５の下面に、前記クリップの前後方向に移動自在でかつ透明体４を着脱自在に構成した、透明体保持部４１を備えた構成が記載されている。
そして、透明体４は、公知の所用の剛性を備えた透明な合成樹脂、一例としてアクリル合成樹脂シート、から構成することにより、外部の空気をマスク６周辺に送気した際、目９に外気が直接噴射されることによるドライアイを防止することができる。
また、前記透明体保持部４１は、前記クリップ５の前後方向に、公知の移動機構、一例としてレール又は溝状の走路と該走路を移動可能な走路挟持体、から構成することにより、前記目９との距離を調整できる。
さらに前記透明体４は、公知の着脱自在機構、一例として差し込み式、を備えることにより、必要に応じての前記透明体４の装着が可能となる。
【００２４】
図３の（ａ）、（ｂ）及び（ｃ）に示すように、外部の空気は、吸気口３１Ａから吸気され、流路３Ａ、排気口３２Ａ及び排気口調整部３３Ａを経てマスク６周辺に送気される。
そして、前記外部の空気に含まれる有害物質を除去する公知のフィルター層（図示せず）を、前記吸気口３１Ａ、前記流路３Ａ、前記排気口３２Ａ又は排気調整部３３Ａに、着脱自在に設置する。設置する場所は、ファンユニット２Ａの構造、吸引・吐出圧力、流路構造により適宜選択する。前記ファンユニット２Ａにより前記外部の空気を吸引・排気する際、前記外部の空気に含まれる有害物質を、フィルター層により除去することができる。前記有害物質としては、公知の感染症ウイルス、細菌、花粉又はＰＭ２１を含み、前記有害物質を除去可能な公知のフィルター層を使用することができる。必要に応じて上記以外の前記有害物質を除去する必要がある場合には、前記除去必要な有害物資に対する公知のフィルター層を使用することができる。
【００２５】
図３の（ａ）、（ｂ）及び（ｃ）に示すように、外部の空気は、吸気口３１Ａから吸気され、流路３Ａ、排気口３２Ａ及び排気口調整部３３Ａを経てマスク６周辺に送気される。
そして、前記外部の空気を冷却する冷却部（図示せず）を、前記吸気口３１Ａ、前記流路３Ａ、前記排気口３２Ａ又は排気口調整部３３Ａに、着脱自在に設置する。設置する場所は、ファンユニット２Ａの構造、吸引・吐出圧力及び流路構造により、適宜選択する。かかる構造によれば、前記ファンユニット２Ａにより前記外部の空気を吸引・排気する際、前記外部の空気の温度を、前記冷却部により冷却することができる。前記冷却部としては、公知の冷却部を使用することができる。一例として公知の冷却パイプを、前記流路３Ａ（実施例２の図４では３Ｂ）の適宜箇所、一例として前記流路３Ａ（実施例２の図４では３Ｂ）の排気口３２Ａ（実施例２の図４では３２Ｂ）の直前箇所、に流路を横断するように設置することができる。
【００２６】
図３の（ａ）、（ｂ）及び（ｃ）に示すファンユニット２Ａは、垂直かつ円筒状に配置された羽根２１Ａを有し、前記羽根２１Ａの遠心力により発生した旋回流を流路３Ａにより排気口３２Ａに送気することを特徴とする、いわゆるブロワである。円筒状に配した前向き羽根のランナーの遠心力により、モーター回転軸にほぼ垂直な向きに旋回流を作り、発生した旋回流は羽根２１Ａの外周の円筒状の送気ファン筐体１１のスクロールにより一方向に整流され、圧力も上昇しているため、流路３Ａを経ても排気口３２Ａから、一例として排気口調整部回転部３４Ａで方向調整が自在な排気口調整部３３Ａにより、一定方向に送気３５Ａを集中し、マスク６周辺を局部的に冷却できる。
実施例１では、前記ファンユニット２Ａを並列に２基配置し、送気３５Ａの幅方向範囲を広く確保したが、１基でも３基以上でも適宜選択できる。
【実施例２】
【００２７】
図２は、実施例２におけるマスク周辺冷却装置を、マスク装着者が装着した状態を示す図である。
前記マスク装着者は帽子７を被り、マスク６を装着し、目９には必要に応じて眼鏡８も装着している。前記帽子７の鍔部７１の上表面には、送気ファン筐体１１Ｂに一体に形成された送気ファン筐体基部１２Ｂを載置し、前記帽子７の前記鍔部７１を前記送気ファン筐体基部１２Ｂとで挟持するクリップ５を備えている。
そして、前記送気ファン筐体１１Ｂは、外部の空気を吸引・排気するファンユニット２Ｂを有し、前記ファンユニット２Ｂは、外部の空気を吸引する吸気口３１Ｂから外部の空気を吸引し、流路３Ｂを通過して前記空気を前記マスク６の装着者の顔面側と反対側である前面に排気する排気口３２Ｂへ導き、排気口調整部３３Ｂにより、前記外部の空気を前記マスク６の方向に調整して、前記空気を前記マスク装着者のマスク周辺に送気３５Ｂすることにより前記マスク６を冷却し、マスク装着者が熱中症を発症することを防止するものである。
【００２８】
図４は、実施例２におけるマスク周辺冷却装置で、（ａ）は立面図、（ｂ）は平面図、及び（ｃ）は側面図である。
図３と同じ符号の部材については、説明を省略する。
また、外部の空気に含まれる有害物質を除去する公知のフィルター層（図示せず）、及び外部の空気を冷却する冷却部（図示せず）に関しては、実施例１の図３の（ａ）、（ｂ）及び（ｃ）で説明した事項を、実施例２においても同様に採用する。
【００２９】
図４の（ａ）、（ｂ）及び（ｃ）に示すファンユニット２Ｂは、水平かつ円筒状に配置された羽根２１Ｂを有し、水平方向に長い円筒状の前記羽根２１Ｂの遠心力により発生した旋回流を、送気の幅を広く取り流路３Ｂにより前記排気口３２Ｂに送気することを特徴とする。ブロワに似た羽根２１Ｂのランナーを持っているが、両側面が側板で覆われているため、軸方向からの外部の空気の流入はない。そのため、羽根２１Ｂのランナー内を通り抜ける貫流が発生し送気の幅を広くとれる、いわゆるクロスフローファンである。
そして、送気を羽根２１Ｂのランナー円周に沿って下方向に吹き出す均一な送気が得られ、流路３Ｂを経ても排気口３２Ｂから、一例として排気口調整部回転部３４Ｂで方向調整が自在な排気口調整部３３Ｂにより、一定方向に送気３５Ｂを集中し、マスク６周辺を局部的に冷却できる。
【産業上の利用可能性】
【００３０】
本発明のマスク周辺冷却装置は、マスク装着者の装着した帽子７の鍔部７１に、簡単にクリップ５により載置できるファンユニット２により、空気を前記マスク装着者のマスク周辺に送気する事により冷却できる。
そして、前記帽子７の前記鍔部７１が全周又は一部にあるものを含み、また前記帽子７は、頭部を保護するヘルメット及び頭部を外部有害物から防御するものを含む、いわゆる頭部に被せるものに、容易にかつ安価に適用できる。
【符号の説明】
【００３１】
１、１Ａ、１Ｂ        送気ファン
１１、１１Ａ、１１Ｂ  送気ファン筐体
１２、１２Ａ、１２Ｂ  送気ファン筐体基部
２、２Ａ、２Ｂ        ファンユニット
２１、２１Ａ、２１Ｂ  ファン
２２、２２Ａ、２２Ｂ  モーター
２３、２３Ａ、２３Ｂ  充電接続部
３、３Ａ、３Ｂ        流路
３１、３１Ａ、３１Ｂ  吸気口
３２、３２Ａ、３２Ｂ  排気口
３３、３３Ａ、３３Ｂ  排気口調整部
３４、３４Ａ、３４Ｂ  排気口調整部回転部
３５、３５Ａ、３５Ｂ  送気
４                    透明体
４１                  透明体保持部
５                    クリップ
６                    マスク
７                    帽子
７１                  鍔部
８                    眼鏡
９                    目
【要約】
【課題】マスクを装着した際、外気温等の上昇に伴い、マスク装着者が熱中症を発症する恐れがあり、マスク周辺に送気することで、マスク周辺を冷却する。
【解決手段】外部の空気を吸引する吸気口３１と、該吸気口３１から導入された前記空気をマスク６の前面に排気する排気口３２へ導く流路３とが形成された送気ファン筐体１と、該送気ファン筐体１１に一体に形成された送気ファン筐体基部１２を備え、前記送気ファン筐体１１は、ファンユニット２を有し、さらに前記送気ファン筐体基部１２には、帽子７の鍔部７１を挟持するクリップ５を備え、前記排気口３２には、前記外部の空気を前記マスク６の方向に調整する排気口調整部３３を備える。
【選択図】図１【図１】
0006788878.tif 000002
【図２】
0006788878.tif 000003
【図３】
0006788878.tif 000004
【図４】
0006788878.tif 000005